【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
（ａ）バインダー樹脂、（ｂ）溶剤および（ｃ）色材を含有し、（ｃ）色材が下記一般式（Ｉ）で表される化合物を含有する、カラーフィルター用着色樹脂組成物。
【化１】
2010204132.tif 000001
（上記一般式（Ｉ）において、Ｚはアントラキノン骨格またはフタロシアニン骨格を有するｍ価のアニオンを表す。ｍは１〜４の整数を表す。
Ｒは水素原子、置換基を有していてもよい炭素数１〜８のアルキル基、または置換基を有していてもよいフェニル基を表すか、或いは隣接するＲ同士が結合して環を形成する。該環は置換基を有していてもよい。それぞれのＲは同一でも異なっていてもよい。
Ｒ101は置換基を有していてもよい炭素数１〜８のアルキル基、置換基を有していてもよい炭素数２〜６のアルケニル基、置換基を有していてもよいフェニル基、またはフッ素原子を表す。
Ｒ102は水素原子、置換基を有していてもよい炭素数１〜８のアルキル基、置換基を有していてもよい炭素数２〜６のアルケニル基、置換基を有していてもよいフェニル基、またはフッ素原子を表す。
或いはＲ101とＲ102とが結合し、環を形成していてもよく、該環は置換基を有していてもよい。
また、上記一般式（Ｉ）のカチオン部分における３つのベンゼン環は、いずれも、−ＮＲ２、−Ｒ101および−Ｒ102以外の基で置換されていてもよい。
なお、１分子中に複数の
【化２】
2010204132.tif 000002
が含まれる場合、それらは同じ構造であっても、異なる構造であってもよい。）
【請求項２】
前記一般式（Ｉ）で表される化合物が、下記一般式（Ｉ’）で表される化合物である、請求項１に記載のカラーフィルター用着色樹脂組成物。
【化３】
2010204132.tif 000003
（上記一般式（Ｉ’）において、Ｚ、ｍ、Ｒ、Ｒ101およびＲ102は、前記一般式（Ｉ）におけると同義である。
Ｒ103およびＲ104は各々独立に、水素原子、ハロゲン原子、または炭素数１〜８のアルキル基を表す。
なお、１分子中に複数の
【化４】
2010204132.tif 000004
が含まれる場合、それらは同じ構造であっても、異なる構造であってもよい。）
【請求項３】
前記一般式（Ｉ’）で表される化合物が、下記一般式（II）で表される化合物である、請求項２記載のカラーフィルター用着色樹脂組成物。
【化５】
2010204132.tif 000005
（上記一般式（II）において、Ｍは２個の水素原子、Ｃｕ、Ｍｇ、Ａｌ、Ｎｉ、Ｃｏ、Ｆｅ、Ｚｎ、Ｇｅ、Ｍｎ、Ｓｉ、Ｔｉ、ＶまたはＳｎを表し、各金属原子には、酸素原子、ハロゲン原子、水酸基、アルコキシ基またはアリールオキシ基が配位していてもよい。
式中の−ＳＯ３−基は、フタロシアニン骨格におけるベンゼン環を構成するいずれかの炭素原子に結合している。これら４つのベンゼン環を構成する炭素原子のうち、−ＳＯ３−基が結合していない炭素原子は、任意の基で置換されていてもよい。
ｍ、Ｒ、Ｒ101〜Ｒ104は一般式（Ｉ’）におけると同義であり、１分子中に複数の
【化６】
2010204132.tif 000006
が含まれる場合、それらは同じ構造であっても、異なる構造であってもよい。）
【請求項４】
前記一般式（II）で表される化合物が、下記一般式（III）で表される化合物である、請求項３記載のカラーフィルター用着色樹脂組成物。
【化７】
2010204132.tif 000007
（上記一般式（III）において、−ＳＯ３−基は、フタロシアニン骨格におけるベンゼン環を構成するいずれかの炭素原子に結合しており、該フタロシアニン骨格は−ＳＯ３−基以外に置換基を有さない。
ｍ、Ｍ、Ｒ、Ｒ103およびＲ104は一般式（Ｉ’）におけると同義であり、１分子中に複数の
【化８】
2010204132.tif 000008
が含まれる場合、それらは同じ構造であっても、異なる構造であってもよい。）
【請求項５】
前記一般式（Ｉ’）で表される化合物が、下記一般式（IV）で表される化合物である、請求項２記載のカラーフィルター用着色樹脂組成物。
【化９】
2010204132.tif 000009
（上記一般式（IV）において、アントラキノン骨格が有する置換基のうち、
Ｒ３１は水素原子、または置換基を有していてもよいフェニル基を表す。）である。
Ｒ３２、Ｒ３３、Ｒ３４は、各々独立に、水素原子、水酸基、−ＮＨＲ４１（Ｒ４１はＲ３１と同義である。）、−ＳＯ３−、ハロゲン原子、−ＣＯ２Ｒ４２（Ｒ４２は炭素数１〜３のアルキル基を表す。）のいずれかであるが、Ｒ３２〜Ｒ３４のうち、少なくとも一つは−ＮＨＲ４１基である。
Ｒ３５、Ｒ３６、Ｒ３７、Ｒ３８は、各々独立に、水素原子、−ＳＯ３−、ハロゲン原子、フェノキシ基、ナフチルオキシ基、炭素数１〜１２のアルコキシル基、−ＣＯ２Ｒ４３、フェニル基、−ＳＯ３Ｒ４４、または−ＳＯ２ＮＨＲ４５（但し、Ｒ４３〜Ｒ４５は、各々独立に、炭素数１〜６のアルキル基を表す。）を表す。
なお、１つのアントラキノン骨格中に、−ＳＯ３−基はｍ個結合している。
ｍ、Ｒ、Ｒ101〜Ｒ104は一般式（Ｉ’）におけると同義であり、１分子中に複数の
【化１０】
2010204132.tif 000010
が含まれる場合、それらは同じ構造であっても、異なる構造であってもよい。）
【請求項６】
前記一般式（IV）で表される化合物が、下記一般式（IV’）で表される化合物である、請求項５に記載のカラーフィルター用着色樹脂組成物。
【化１１】
2010204132.tif 000011
（上記一般式（IV’）において、ｍ、Ｒ、Ｒ３１〜Ｒ３８、Ｒ103およびＲ104は前記一般式（IV）におけると同義であり、１分子中に複数の
【化１２】
2010204132.tif 000012
が含まれる場合、それらは同じ構造であっても、異なる構造であってもよい。）
【請求項７】
前記一般式（Ｉ）で表される化合物を、全固形分中１〜５０重量％溶解させてなる、請求項１ないし６のいずれか一項に記載のカラーフィルター用着色樹脂組成物。  
【請求項８】
（ａ）バインダー樹脂、（ｂ）溶剤および（ｃ）色材を含有し、（ｃ）色材が下記一般式（Ｖ）で表される化合物を含有する、カラーフィルター用着色樹脂組成物。
【化１３】
2010204132.tif 000013
（上記一般式（Ｖ）において、Ｚはアントラキノン骨格またはフタロシアニン骨格を有するｍ価のアニオンを表す。ｍは１〜４の整数を表す。
Ｒは水素原子、置換基を有していてもよい炭素数１〜８のアルキル基、または置換基を有していてもよいフェニル基を表すか、或いは隣接するＲ同士が結合して環を形成する。該環は置換基を有していてもよい。それぞれのＲは同一でも異なっていてもよい。
Ｒ201は水素原子、置換基を有していてもよい炭素数１〜８のアルキル基、ベンジル基、置換基を有していてもよいフェニル基、または置換基を有していてもよいナフチル基を表す。
Ｒ202は置換基を有していてもよい炭素数１〜８のアルキル基、置換基を有していてもよいフェニル基、置換基を有していてもよいナフチル基、または置換基を有していてもよい芳香族複素環基を表す。
Ｒ203、Ｒ204、Ｒ205、Ｒ206は、各々独立に、水素原子、置換基を有していてもよい炭素数１〜８のアルキル基、炭素数１〜８のパーフルオロアルキル基、炭素数１〜１２のアルコキシル基、フェノキシ基、ナフチルオキシ基、フッ素原子、置換基を有していてもよいフェニル基、−ＣＯ２Ｒ４６、−ＳＯ３Ｒ４７、または−ＳＯ２ＮＨＲ４８（但し、Ｒ４６〜Ｒ４８は、各々独立に、炭素数１〜６のアルキル基を表す。）を表す。
また上記一般式（Ｖ）のカチオン部分における２つのベンゼン環は、いずれも−ＮＲ２以外の基で置換されていてもよい。
なお、１分子中に複数の
【化１４】
2010204132.tif 000014
が含まれる場合、それらは同じ構造であっても、異なる構造であってもよい。）
【請求項９】
前記一般式（Ｖ）で表される化合物が、下記一般式（Ｖ’）で表される化合物である、請求項８に記載のカラーフィルター用着色樹脂組成物。
【化１５】
2010204132.tif 000015
（上記一般式（Ｖ’）において、Ｚ、ｍ、Ｒ、Ｒ201〜Ｒ206は、いずれも前記一般式（Ｖ）におけると同義である。
Ｒ207およびＲ208は各々独立に、水素原子、ハロゲン原子、または炭素数１〜８のアルキル基を表す。
なお、１分子中に複数の
【化１６】
2010204132.tif 000016
が含まれる場合、それらは同じ構造であっても、異なる構造であってもよい。）
【請求項１０】
前記一般式（Ｖ’）で表される化合物が、下記一般式（VI）で表される化合物である、請求項９記載のカラーフィルター用着色樹脂組成物。
【化１７】
2010204132.tif 000017
（上記一般式（VI）において、Ｍは２個の水素原子、Ｃｕ、Ｍｇ、Ａｌ、Ｎｉ、Ｃｏ、Ｆｅ、Ｚｎ、Ｇｅ、Ｍｎ、Ｓｉ、Ｔｉ、ＶまたはＳｎを表し、各金属原子には、酸素原子、ハロゲン原子、水酸基、アルコキシ基またはアリールオキシ基が配位していてもよい。
式中の−ＳＯ３−基は、フタロシアニン骨格におけるベンゼン環を構成するいずれかの炭素原子に結合している。これら４つのベンゼン環を構成する炭素原子のうち、−ＳＯ３−基が結合していない炭素原子は、任意の基で置換されていてもよい。
ｍ、Ｒ、Ｒ201、Ｒ202、Ｒ207、Ｒ208は一般式（Ｖ’）におけると同義であり、１分子中に複数の
【化１８】
2010204132.tif 000018
が含まれる場合、それらは同じ構造であっても、異なる構造であってもよい。）
【請求項１１】
前記一般式（VI）において、−ＳＯ３−基は、フタロシアニン骨格におけるベンゼン環を構成するいずれかの炭素原子に結合しており、該フタロシアニン骨格は−ＳＯ３−基以外に置換基を有していない、請求項１０記載のカラーフィルター用着色樹脂組成物。
【請求項１２】
前記一般式（Ｖ’）で表される化合物が、下記一般式（VII）で表される化合物である、請求項９記載のカラーフィルター用着色樹脂組成物。
【化１９】
2010204132.tif 000019
（上記一般式（VII）において、アントラキノン骨格が有する置換基のうち、
Ｒ３１は水素原子、または置換基を有していてもよいフェニル基を表す。
Ｒ３２、Ｒ３３、Ｒ３４は、各々独立に、水素原子、水酸基、−ＮＨＲ４１（Ｒ４１はＲ３１と同義である。）、−ＳＯ３−、ハロゲン原子、−ＣＯ２Ｒ４２（Ｒ４２は炭素数１〜３のアルキル基を表す。）のいずれかであるが、Ｒ３２〜Ｒ３４のうち、少なくとも一つは−ＮＨＲ４１基である。
Ｒ３５、Ｒ３６、Ｒ３７、Ｒ３８は、各々独立に、水素原子、−ＳＯ３−、ハロゲン原子、フェノキシ基、ナフチルオキシ基、炭素数１〜１２のアルコキシル基、−ＣＯ２Ｒ４３、フェニル基、−ＳＯ３Ｒ４４、または−ＳＯ２ＮＨＲ４５（但し、Ｒ４３〜Ｒ４５は、各々独立に、炭素数１〜６のアルキル基を表す。）を表す。
なお、１つのアントラキノン骨格中に、−ＳＯ３−基はｍ個結合している。
ｍ、Ｒ、Ｒ201、Ｒ202、Ｒ207、Ｒ208は一般式（Ｖ’）におけると同義であり、１分子中に複数の
【化２０】
2010204132.tif 000020
が含まれる場合、それらは同じ構造であっても、異なる構造であってもよい。）
【請求項１３】
前記一般式（Ｖ）で表される化合物を、全固形分中１〜５０重量％溶解させてなる、請求項８ないし１２のいずれか一項に記載のカラーフィルター用着色樹脂組成物。
【請求項１４】
（ａ）バインダー樹脂、（ｂ）溶剤および（ｃ）色材を含有し、
（ｃ）色材が、カチオン系青色色素（色素１）とアニオン系色素（色素２）からなる化合物を含有し、
該化合物における色素１および色素２が、以下の（イ）または（ロ）を満たすことを特徴とする、カラーフィルター用着色樹脂組成物。
（イ）色素２が偶数電子系化合物であり、時間依存密度汎関数（B3LYP/6-31G(d,p)）計算により得られる、色素１の最低一重項起状態（Ｓ１状態）の励起エネルギー(ΔＥＳ１(色素１))と、色素２の最低一重項励起状態（Ｓ１状態）の励起エネルギー(ΔＥＳ１(色素２))が下記式（ｉ）を満たし、かつ色素２の最低三重項励起状態（Ｔ１状態）の励起エネルギー(ΔＥＴ１(色素２))が下記式（ii）を満たす。
（ロ）色素２が奇数電子系化合物であり、時間依存密度汎関数（B3LYP/6-31G(d,p)）計算により得られる、色素１の最低一重項起状態（Ｓ１状態）の励起エネルギー(ΔＥＳ１(色素１))と、色素２のエネルギー的に最も低い励起状態の励起エネルギー(ΔＥｌｏｗｅｓｔ(色素２))が、下記式（iii）を満たす。
【数１】
2010204132.tif 000021
【請求項１５】
前記色素１が、骨格内にカチオン部位を有するか、もしくは置換基としてカチオン性置換基を有する、カチオン性色素であり、
前記色素２が、アニオン性置換基を有するアニオン性色素である、請求項１４記載のカラーフィルター用着色樹脂組成物。
【請求項１６】
前記色素２が、フタロシアニン骨格またはアントラキノン骨格を有するアニオン性色素である、請求項１５記載のカラーフィルター用着色樹脂組成物。
【請求項１７】
さらに（ｄ）モノマーを含有する、請求項１ないし１６のいずれか一項に記載のカラーフィルター用着色樹脂組成物。
【請求項１８】
さらに（ｅ）光重合開始系および／または熱重合開始系を含有する、請求項１ないし１７のいずれか一項に記載のカラーフィルター用着色樹脂組成物。
【請求項１９】
さらに（ｆ）顔料を含有する、請求項１ないし１８のいずれか一項に記載のカラーフィルター用着色樹脂組成物。
【請求項２０】
請求項１ないし１９のいずれか一項に記載のカラーフィルター用着色樹脂組成物を用いて形成された画素を有するカラーフィルター。
【請求項２１】
請求項２０記載のカラーフィルターを備えてなる、有機ＥＬディスプレイ。
【請求項２２】
請求項２０記載のカラーフィルターを備えてなる、液晶表示装置。
【手続補正２】
【補正対象書類名】明細書
【補正対象項目名】００２３
【補正方法】変更
【補正の内容】
【００２３】
【化６】
2010204132.tif 000022
【手続補正３】
【補正対象書類名】明細書
【補正対象項目名】００２６
【補正方法】変更
【補正の内容】
【００２６】
【化８】
2010204132.tif 000023
【手続補正４】
【補正対象書類名】明細書
【補正対象項目名】００４２
【補正方法】変更
【補正の内容】
【００４２】
【化１８】
2010204132.tif 000024
【手続補正５】
【補正対象書類名】明細書
【補正対象項目名】００９４
【補正方法】変更
【補正の内容】
【００９４】
【化３２】
2010204132.tif 000025
【手続補正６】
【補正対象書類名】明細書
【補正対象項目名】００９６
【補正方法】変更
【補正の内容】
【００９６】
【化３４】
2010204132.tif 000026
【手続補正７】
【補正対象書類名】明細書
【補正対象項目名】０１１０
【補正方法】変更
【補正の内容】
【０１１０】
【表１】
2010204132.tif 000027
【手続補正８】
【補正対象書類名】明細書
【補正対象項目名】０１６４
【補正方法】変更
【補正の内容】
【０１６４】
【化４９】
2010204132.tif 000028
【手続補正９】
【補正対象書類名】明細書
【補正対象項目名】０１７４
【補正方法】変更
【補正の内容】
【０１７４】
【表２８】
2010204132.tif 000029
【手続補正１０】
【補正対象書類名】明細書
【補正対象項目名】０４４７
【補正方法】変更
【補正の内容】
【０４４７】
［合成例９］
【化８２】
2010204132.tif 000030
【手続補正１１】
【補正対象書類名】明細書
【補正対象項目名】０４５４
【補正方法】変更
【補正の内容】
【０４５４】
［合成例１２］
【化８５】
2010204132.tif 000031